(57)【特許請求の範囲】
【請求項１】
ホログラム記録再生に係る変調規則に従って情報データを変調することで、第１タイプの画素と第２タイプの画素との組み合わせで表現される変調パターンを生成する変調手段と、
前記変調パターンに、１つの前記第１タイプの画素及び該第１タイプの画素の周囲を囲む複数の前記第２タイプの画素よりなる所定の対象パターンと一致するパターン部分が含まれるか否かを判定する判定手段と、
前記判定手段により、前記対象パターンと一致するパターン部分が含まれると判定された場合、前記パターン部分の少なくとも一部を、前記パターン部分の少なくとも一部が変更前後で同一のパターンとならない状態を実現できる変更用の変更パターンに変更する変更手段と、
前記パターン部分の少なくとも一部が前記変更パターンに変更された前記変調パターンをホログラフィック記録媒体に記録するための光源光を照射する照射手段と
を備えることを特徴とするホログラム記録装置。
【請求項２】
前記変更パターンは、前記情報データの記録及び再生の少なくとも一方を制御するための補助データを前記変調規則に従って変調することで生成されることを特徴とする請求項１に記載のホログラム記録装置。
【請求項３】
前記補助データの前記変調規則は、前記情報データの前記変調規則とは異なることを特徴とする請求項２に記載のホログラム記録装置。
【請求項４】
前記変調手段は、前記情報データに誤り訂正符号を付加しつつ変調することを特徴とする請求項１に記載のホログラム記録装置。
【請求項５】
前記変調手段は、前記補助データに誤り訂正符号を付加しつつ変調することを特徴とする請求項２に記載のホログラム記録装置。
【請求項６】
前記変更手段は、前記情報データに付加される前記誤り訂正符号の誤り訂正能力を満たしながら、前記パターン部分の少なくとも一部を前記変更パターンに変更することを特徴とする請求項４に記載のホログラム記録装置。
【請求項７】
前記変更手段は、前記変調パターン内で前記変更パターンに変更する回数を制限する回数制限手段を備えることを特徴とする請求項１に記載のホログラム記録装置。
【請求項８】
前記変更手段は、前記変調パターン内における前記変更パターンに変更する位置を制限する位置制限手段を備えることを特徴とする請求項１に記載のホログラム記録装置。
【請求項９】
前記変更手段は、前記変調パターン内における前記変更パターンに変更する位置を優先的に選択する位置選択手段を備えることを特徴とする請求項１に記載のホログラム記録装置。
【請求項１０】
前記判定手段は、前記変調規則に従って生成される任意の前記変調パターンを前記変更パターンに変更するか否かを規定する判定情報に基づいて判定することを特徴とする請求項１に記載のホログラム記録装置。
【請求項１１】
前記変調手段は、前記情報データの一単位を変調することで生成される単位パターンをＮ×Ｍ（但し、Ｎ及びＭは１以上の整数）のマトリクス状に組み合わせることで前記変調パターンを生成し、
前記変更手段は、前記パターン部分の少なくとも一部として前記単位パターンを前記変更パターンに変更することを特徴とする請求項１に記載のホログラム記録装置。
【請求項１２】
前記判定手段は、前記変調パターンに、ｎ×ｍ（但し、ｎ＜Ｎ且つｍ＜Ｍ）のマトリクス状の前記対象パターンと一致する前記パターン部分が含まれるか否かを判定することを特徴とする請求項１１に記載のホログラム記録装置。
【請求項１３】
ホログラム記録再生に係る変調規則に従って情報データを変調することで、第１タイプの画素と第２タイプの画素との組み合わせで表現される変調パターンを生成する変調工程と、
前記変調パターンに、１つの前記第１タイプの画素及び該第１タイプの画素の周囲を囲む複数の前記第２タイプの画素よりなる所定の対象パターンと一致するパターン部分が含まれるか否かを判定する判定工程と、
前記判定工程により、前記対象パターンと一致するパターン部分が含まれると判定された場合、前記パターン部分の少なくとも一部を、前記パターン部分の少なくとも一部が変更前後で同一のパターンとならない状態を実現できる変更用の変更パターンに変更する変更工程と、
前記パターン部分の少なくとも一部が前記変更パターンに変更された前記変調パターンをホログラフィック記録媒体に記録する記録工程と
を備えることを特徴とするホログラム記録方法。
【請求項１４】
ホログラム記録再生に係る変調規則に従って情報データを変調することで、第１タイプの画素と第２タイプの画素との組み合わせで表現される変調パターンを生成する変調手段と、前記変調パターンに、１つの前記第１タイプの画素及び該第１タイプの画素の周囲を囲む複数の前記第２タイプの画素よりなる所定の対象パターンと一致するパターン部分が含まれるか否かを判定する判定手段と、前記判定手段により、前記対象パターンと一致するパターン部分が含まれると判定された場合、前記パターン部分の少なくとも一部を、前記情報データの記録及び再生の少なくとも一方を制御するための補助データを前記変調規則に従って変調することで生成され、且つ前記パターン部分の少なくとも一部が変更前後で同一のパターンとならない状態を実現できる変更パターンに変更する変更手段と、前記パターン部分の少なくとも一部が前記変更パターンに変更された前記変調パターンをホログラフィック記録媒体に記録するための光源光を照射する照射手段とを備えるホログラム記録装置により前記ホログラフィック記録媒体に記録された前記情報データを再生するホログラム再生装置であって、
前記ホログラフィック記録媒体に記録された前記変調パターンを読み取る読取手段と、
前記読み取られた変調パターンを前記変調規則に従って復調することで復調データを生成する復調手段と、
前記復調データに誤り訂正処理を施すことで前記情報データを取得する取得手段と、
前記情報データと相違する前記復調データのデータ部分を、前記補助データとして抽出する抽出手段と
を備えることを特徴とするホログラム再生装置。
【請求項１５】
ホログラム記録再生に係る変調規則に従って情報データを変調することで、第１タイプの画素と第２タイプの画素との組み合わせで表現される変調パターンを生成する変調手段と、前記変調パターンに、１つの前記第１タイプの画素及び該第１タイプの画素の周囲を囲む複数の前記第２タイプの画素よりなる所定の対象パターンと一致するパターン部分が含まれるか否かを判定する判定手段と、前記判定手段により、前記対象パターンと一致するパターン部分が含まれると判定された場合、前記パターン部分の少なくとも一部を、前記情報データの記録及び再生の少なくとも一方を制御するための補助データを前記変調規則に従って変調することで生成され、且つ前記パターン部分の少なくとも一部が変更前後で同一のパターンとならない状態を実現できる変更パターンに変更する変更手段と、前記パターン部分の少なくとも一部が前記変更パターンに変更された前記変調パターンをホログラフィック記録媒体に記録するための光源光を照射する照射手段とを備えるホログラム記録装置により前記ホログラフィック記録媒体に記録された前記情報データを再生するホログラム再生方法であって、
前記ホログラフィック記録媒体に記録された前記変調パターンを読み取る読取工程と、
前記読み取られた変調パターンを前記変調規則に従って復調することで復調データを生成する復調工程と、
前記復調データに誤り訂正処理を施すことで前記情報データを取得する取得工程と、
前記情報データと相違する前記復調データのデータ部分を、前記補助データとして抽出する抽出工程と
を備えることを特徴とするホログラム再生方法。
【請求項１６】
請求項１に記載のホログラム記録装置に備えられたコンピュータを制御するホログラム記録制御用のコンピュータプログラムであって、該コンピュータを、前記変調手段、前記判定手段、前記変更手段及び前記照射手段のうち少なくとも一部として機能させることを特徴とするコンピュータプログラム。
【請求項１７】
請求項１４に記載のホログラム再生装置に備えられたコンピュータを制御するホログラム再生制御用のコンピュータプログラムであって、該コンピュータを、前記読取手段、前記復調手段、前記取得手段及び前記抽出手段のうち少なくとも一部として機能させることを特徴とするコンピュータプログラム。
【発明の詳細な説明】
【技術分野】
【０００１】
本発明は、ホログラフィック記録媒体に対して情報の記録を行うホログラム記録装置及び方法、ホログラフィック記録媒体に対して情報の再生を行うホログラム再生装置及び方法、並びにこれらのホログラム記録装置及びホログラム再生装置に用いられるコンピュータプログラムに関する。
【背景技術】
【０００２】
記録すべきデータを干渉縞としてホログラフィック記録媒体（以下、単に「記録媒体」とも呼ぶ。）に記録するホログラム記録技術が知られている。１つの方法では、記録すべき情報により光源からの光を、所定の変調規則に従って生成される２次元の白黒パターンを組み合わせた変調パターンにより空間変調して信号光を生成し、その信号光と参照光を記録媒体に照射する。信号光と参照光は記録媒体上で干渉縞を形成し、その干渉縞が記録媒体の記録層に記録される。一方、再生時には、記録媒体に記録された干渉縞に参照光のみを照射し、記録媒体からの検出光を２次元センサにより検出して情報を再生する（特許文献１参照）。【０００３】
また、一方で、デジタルデータに関する違法コピーが１つの大きな問題となってきている。上述したホログラム記録では、従来以上に大容量のデジタルデータを記録媒体中に記録することができるため、従来以上に違法コピー等が大きな問題となり得る。この違法コピーに対処するべく、例えばＣＤやＤＶＤ等の記録媒体を対象として、誤り訂正能力の範囲内で、予め意図的に本来あるべきデータとは異なるデータを含ませた状態でないしは意図的に記録媒体にディフェクトを与えることで、記録媒体に記録されたデータの違法コピーを防ぐ技術が開発されている（特許文献２参照）。【０００４】
【特許文献１】特開平１１−３１１９３７号公報
【特許文献２】特開平８−１２９８２８号公報
【発明の開示】
【発明が解決しようとする課題】
【０００５】
このようなホログラム記録技術では、白パターン及び黒パターンの夫々の分布の態様によっては、再生時に干渉縞としてホログラフィック記録媒体に記録された変調パターンを好適に検出することができないという技術的な問題を有している。このような事態を防ぐために、変調に用いられる変調規則を工夫することが考えられる。しかしながら、ホログラフィック記録媒体に記録されるデータはランダムな値をとり得るため、いくら変調規則を工夫したとしても、上述のような事態を防ぐことができるとはいえない。また、違法コピー等を防止するためには、コピー可否情報などの何らかの補助データを付加させる手法があるが、これについては、上述したホログラム記録の特徴に適合した手法が確立されているとはいえない。【０００６】
本発明が解決しようとする課題には上記のようなものが一例として挙げられる。本発明は、ホログラフィック記録媒体に干渉縞として記録された変調パターンの誤検出を好適に防ぐことを可能とならしめる、或いはこれに加えて、効率的に補助データを付加することを可能とならしめるホログラム記録装置及び方法、このようなテンプレートマッチング処理装置を備えるホログラム再生装置及び方法、並びにコンピュータを該ホログラム記録装置及びホログラム再生装置として実行させるコンピュータプログラムを提供することを課題とする。
【課題を解決するための手段】
【０００７】
（ホログラム記録装置）
本発明のホログラム記録装置は上記課題を解決するために、ホログラム記録再生に係る変調規則に従って情報データを変調することで変調パターンを生成する変調手段と、前記変調パターンに、所定の対象パターンと一致するパターン部分が含まれるか否かを判定する判定手段と、前記判定手段により、前記対象パターンと一致するパターン部分が含まれると判定された場合、前記パターン部分の少なくとも一部を変更用の変更パターンに変更する変更手段と、前記パターン部分の少なくとも一部が前記変更パターンに変更された前記変調パターンをホログラフィック記録媒体に記録するための光源光を照射する照射手段とを備える。【０００８】
本発明のホログラム記録装置によれば、変調手段の動作により、ホログラム記録再生に係る変調規則に従って、例えば映像や音声や文字等の各種情報を含む情報データが変調される。その結果、情報データより変調パターンが生成される。この変調パターンは、照射手段より照射される光源光のうちの情報光（ないしは、信号光）を空間変調する際に用いられる。この空間変調された情報光が、照射手段より照射される光源光のうちの参照光と干渉することで、ホログラフィック記録媒体に干渉縞が記録される。これにより、ホログラフィック記録媒体に情報データを記録することができる。【０００９】
本発明では特に、変調パターンを生成する際に、判定手段の動作により、変調手段により生成された変調パターンに、所定の対象パターンと一致するパターン部分が含まれるか否かが判定される。対象パターンの一の例は、例えば、ホログラフィック記録媒体に干渉縞として記録された情報データの再生時に、誤検出を引き起こす可能性を有するパターンである。或いは、対象パターンの他の例は、例えば、ホログラフィック記録媒体への情報データの記録時或いはホログラフィック記録媒体に干渉縞として記録された情報データの再生時に、何らかの不都合を引き起こす可能性を有するパターンである。これらは、ホログラム記録再生に係る変調規則によって規定される。この判定の結果、変調手段により生成された変調パターンに、所定の対象パターンと一致するパターン部分が含まれると判定された場合、変更手段の動作により、該パターン部分の少なくとも一部が変更パターンに変更される。その結果、変調手段の動作により対象パターンを含む変調パターンが生成される場合或いは生成されることが予想される場合には、該対象パターンの少なくとも一部が変更パターンに変更された状態の変調パターンが生成される。言い換えれば、本来記録しようと意図している情報データとは少なくとも一部が異なる情報データに基づいて、変調パターンが生成される。【００１０】
これにより、本発明に係るホログラム記録装置は、再生時の誤検出を含む記録時或いは再生時に何らかの不都合を引き起こす可能性を有する対象パターンを好適に或いは相応に除去しつつ情報データを干渉縞としてホログラフィック記録媒体に記録することができる。再生時の誤検出を含む記録時或いは再生時に何らかの不都合を引き起こす可能性を有する対象パターンを除去しつつ情報データが記録されるため、記録時或いは再生時に何らかの不都合が生ずる可能性は低くなる或いは殆どなくなる。特に、ホログラフィック記録媒体に記録された干渉縞を読み取ることで得られる、例えば白パターンと黒パターンの組合せからなる変調パターンの誤検出が生ずる可能性は低くなる或いは殆どなくなる。このため、干渉縞として記録された変調パターンの誤検出を好適に防ぐことができる。【００１１】
また、情報データの再生時には、後に詳述するように、例えば誤り訂正処理等を行うことで、少なくとも一部が変更パターンに変更された状態の変調パターンから元の変調パターン（即ち、少なくとも一部が変更パターンに変更される前の変調パターン）を認識することができる。その結果、本来記録しようと意図している情報データを好適に再生することができる。即ち、このように記録された情報データの再生に影響を与えることはない。このため、干渉縞として記録された変調パターンの誤検出を好適に防ぐことができると共に、ホログラフィック記録媒体に干渉縞として記録された情報データを好適に再生することができる。【００１２】
尚、変調パターンに含まれる全ての対象パターンの少なくとも一部が変更パターンに変更される必要は必ずしもない。即ち、少なくとも一つの対象パターンの少なくとも一部が変更パターンに変更されれば、再生時の誤検出等を含む記録時又は再生時の不都合を相応に防ぐことができる。もちろん、再生時の誤検出等を含む記録時又は再生時の不都合をより好適に防ぐには、変調パターンに含まれるできるだけ多くの対象パターンの少なくとも一部が変更パターンに変更されることが好ましい。【００１３】
本発明のホログラム記録装置の一の態様は、前記変更パターンは、前記情報データの記録及び再生の少なくとも一方を制御するための補助データを前記変調規則に従って変調することで生成される。【００１４】
この態様によれば、情報データの記録及び再生の少なくとも一方を制御する（即ち、当該ホログラム記録装置の動作や後述のホログラム再生装置やコンピュータプログラムの動作等を制御する）ための補助データを変調することで生成される変調パターン（以降、適宜“補助パターン”と称する）を変更パターンとして用いることができる。【００１５】
尚、補助データは、当該ホログラム記録装置や後述のホログラム再生装置やコンピュータプログラムが動作するための必須のデータであってもよい。即ち、当該ホログラム記録装置や後述のホログラム再生装置やコンピュータプログラムは、補助データを参照等しなければ、記録動作や再生動作を実現しないように構成してもよい。但し、当該ホログラム記録装置や後述のホログラム再生装置やコンピュータプログラムは、補助データを参照等しなくとも、記録動作や再生動作を実現するように構成してもよい。より具体的には、補助データは、例えば記録データの記録ないしは再生等を制限するためのコピー可否情報であってもよい。この場合、正しいコピー可否情報が得られた場合にのみ、記録動作や再生動作を実現するように構成することが好ましい。【００１６】
上述の如く変更パターンが補助データを変調することで生成されるホログラム記録装置の態様では、前記補助データの前記変調規則は、前記情報データの前記変調規則とは異なるように構成してもよい。【００１７】
このように構成すれば、変更パターンとして用いられる補助パターンは、情報データを変調することで生成される変調パターンとは異なる。従って、変更パターンとの変更後に、変調パターンに対象パターンと一致するパターン部分が含まれる可能性が低くなる。従って、より効率的に補助パターン（即ち、変更パターン）による変更を行うことができる。【００１８】
本発明のホログラム記録装置の他の態様は、前記変調手段は、前記情報データに誤り訂正符号を付加しつつ変調する。【００１９】
この態様によれば、情報データの再生時に、一部が変更パターンに変更された変調パターンから得られる情報データに対して誤り訂正処理を施すことで、元の変調パターンから得られる元の情報データ（即ち、記録時に本来記録しようと意図している情報データ）を好適に取得することができる。従って、ホログラフィック記録媒体に干渉縞として記録された情報データを好適に再生することができる。【００２０】
上述の如く情報データに誤り訂正符号を付加しつつ変調するホログラム記録装置の態様では、前記変更手段は、前記情報データに付加される前記誤り訂正符号の誤り訂正能力を満たしながら、前記パターン部分の少なくとも一部を前記変更パターンに変更するように構成してもよい。【００２１】
このように構成すれば、誤り訂正処理を施すことで、一部が変更パターンに変更される前の変調パターンから得られる元の情報データ（即ち、記録時に本来記録しようと意図している情報データ）を好適に且つ確実に取得することができる。【００２２】
上述の如く変更パターンが補助データを変調することで生成されるホログラム記録装置の態様では、前記変調手段は、前記補助データに誤り訂正符号を付加しつつ変調する。【００２３】
このように構成すれば、情報データに付加されて記録された補助データの誤り訂正処理を好適に行うことができる。【００２４】
上述の如く情報データに誤り訂正符号を付加しつつ変調するホログラム記録装置の態様では、前記変更手段は、前記変調パターン内で前記変更パターンに変更する回数を制限する回数制限手段を備えるように構成してもよい。【００２５】
このように構成すれば、情報データに付加される誤り訂正符号の誤り訂正能力を満たしながら、変更パターンに変更することができる。【００２６】
上述の如く情報データに誤り訂正符号を付加しつつ変調するホログラム記録装置の態様では、前記変更手段は、前記変調パターン内における前記変更パターンに変更する位置を制限する位置制限手段を備える。【００２７】
このように構成すれば、情報データに付加される誤り訂正符号の誤り訂正能力を満たしながら、変更パターンに変更することができる。【００２８】
上述の如く情報データに誤り訂正符号を付加しつつ変調するホログラム記録装置の態様では、前記変更手段は、前記変調パターン内における前記変更パターンに変更する位置を優先的に選択する位置選択手段を備える。【００２９】
このように構成すれば、情報データに付加される誤り訂正符号の誤り訂正能力を満たしながら、変更パターンに変更することができる。【００３０】
本発明のホログラム記録装置の他の態様は、前記判定手段は、前記変調規則に従って生成される任意の前記変調パターンを前記変更パターンに変更するか否かを規定する判定情報に基づいて判定する。【００３１】
この態様によれば、判定手段による判定動作を好適に且つ効率的に行なうことができる。【００３２】
本発明のホログラム記録装置の他の態様は、前記変調手段は、前記情報データの一単位を変調することで生成される単位パターンをＮ×Ｍ（但し、Ｎ及びＭは１以上の整数）のマトリクス状に組み合わせることで前記変調パターンを生成し、前記変更手段は、前記パターン部分の少なくとも一部として前記単位パターンを前記変更パターンに変更する。【００３３】
この態様によれば、情報データよりマトリクス状の変調パターンを好適に生成することができ、単位パターンの単位で変更パターンとの変更を行うことができる。【００３４】
上述の如く単位パターンをＮ×Ｍのマトリクス状に組み合わせることで変調パターンを生成するホログラム記録装置において、前記判定手段は、前記変調パターンに、ｎ×ｍ（但し、ｎ＜Ｎ且つｍ＜Ｍ）のマトリクス状の前記対象パターンと一致する前記パターン部分が含まれるか否かを判定するように構成してもよい。【００３５】
このように構成すれば、変調パターンよりも小さい対象パターンが変調パターンに含まれるかを好適に判定することができ、単位パターンの単位で変更パターンとの変更を行うことができる。【００３６】
（ホログラム記録方法）
本発明のホログラム記録方法は上記課題を解決するために、ホログラム記録再生に係る変調規則に従って情報データを変調することで変調パターンを生成する変調工程と、前記変調パターンに、所定の対象パターンと一致するパターン部分が含まれるか否かを判定する判定工程と、前記判定手段により、前記対象パターンと一致するパターン部分が含まれると判定された場合、前記パターン部分の少なくとも一部を変更用の変更パターンに変更する変更工程と、前記パターン部分の少なくとも一部が前記変更パターンに変更された前記変調パターンをホログラフィック記録媒体に記録する記録工程とを備える。【００３７】
本発明のホログラム記録方法によれば、上述した本発明のホログラム記録装置が有する各種利益と同様の利益を享受することが可能となる。【００３８】
尚、上述した本発明のホログラム記録装置における各種態様に対応して、本発明に係るホログラム記録方法も各種態様を採ることが可能である。【００３９】
（ホログラム再生装置）
本発明のホログラム再生装置は上記課題を解決するために、ホログラム記録再生に係る変調規則に従って情報データを変調することで変調パターンを生成する変調手段と、前記変調パターンに、所定の対象パターンと一致するパターン部分が含まれるか否かを判定する判定手段と、前記判定手段により、前記対象パターンと一致するパターン部分が含まれると判定された場合、前記パターン部分の少なくとも一部を、前記情報データの記録及び再生の少なくとも一方を制御するための補助データを前記変調規則に従って変調することで生成される変更パターンに変更する変更手段と、前記パターン部分の少なくとも一部が前記変更パターンに変更された前記変調パターンをホログラフィック記録媒体に記録するための光源光を照射する照射手段とを備えるホログラム記録装置により前記ホログラフィック記録媒体に記録された前記情報データを再生するホログラム再生装置であって、前記ホログラフィック記録媒体に記録された前記変調パターンを読み取る読取手段と、前記読み取られた変調パターンを前記変調規則に従って復調することで復調データを生成する復調手段と、前記復調データに誤り訂正処理を施すことで前記情報データを取得する取得手段と、前記情報データと相違する前記復調データのデータ部分を、前記補助データとして抽出する抽出手段とを備える。【００４０】
本発明のホログラム再生装置によれば、読取手段の動作により、少なくとも一部が変更パターンに変更された変調パターンが読み取られる。読み取られた変調パターンは、復調手段の動作により復調処理が施される。その結果、復調データが生成される。ここで、取得手段の動作により、復調データに誤り訂正処理が施される。これにより、変更パターンによる変更前の変調パターンを復調して得られる情報データ（即ち、記録時に本来記録しようと意図している情報データ）が取得される。【００４１】
他方、抽出手段の動作により誤り訂正処理が施されていない復調データと、誤り訂正処理が施された後の情報データとの相違点が比較される。このとき、変更パターンによる変更によって情報データ中に埋め込まれた状態の補助データは、誤り訂正処理によって元の情報データへと訂正される。従って、誤り訂正処理の前後で異なっているデータ部分は、補助データであることが判明する。従って、抽出手段の動作により、情報データと異なる復調データのデータ部分が、補助データとして抽出される。【００４２】
これにより、一部が変更パターンと変更された変調パターンを用いてホログラフィック記録媒体に記録された情報データを好適に再生することができると共に、補助データをも好適に再生することができる。また、変更パターンによる変更がなされているため、干渉縞として記録された変調パターンの誤検出を好適に防ぐことができる。【００４３】
尚、上述した本発明のホログラム記録装置における各種態様に対応して、本発明に係るホログラム再生装置も各種態様を採ることが可能である。【００４４】
（ホログラム再生方法）
本発明のホログラム再生方法は上記課題を解決するために、ホログラム記録再生に係る変調規則に従って情報データを変調することで変調パターンを生成する変調手段と、前記変調パターンに、所定の対象パターンと一致するパターン部分が含まれるか否かを判定する判定手段と、前記判定手段により、前記対象パターンと一致するパターン部分が含まれると判定された場合、前記パターン部分の少なくとも一部を、前記情報データの記録及び再生の少なくとも一方を制御するための補助データを前記変調規則に従って変調することで生成される変更パターンに変更する変更手段と、前記パターン部分の少なくとも一部が前記変更パターンに変更された前記変調パターンをホログラフィック記録媒体に記録するための光源光を照射する照射手段とを備えるホログラム記録装置により前記ホログラフィック記録媒体に記録された前記情報データを再生するホログラム再生方法であって、前記ホログラフィック記録媒体に記録された前記変調パターンを読み取る読取工程と、前記読み取られた変調パターンを前記変調規則に従って復調することで復調データを生成する復調工程と、前記復調データに誤り訂正処理を施すことで前記情報データを取得する取得工程と、前記情報データと相違する前記復調データのデータ部分を、前記補助データとして抽出する抽出工程とを備える。【００４５】
本発明のホログラム再生方法によれば、上述した本発明のホログラム再生装置が有する各種利益と同様の利益を享受することが可能となる。【００４６】
尚、上述した本発明のホログラム再生装置における各種態様に対応して、本発明に係るホログラム再生方法も各種態様を採ることが可能である。【００４７】
（コンピュータプログラム）
本発明の第１コンピュータプログラムは上記課題を解決するために、上述した本発明のホログラム記録装置（但し、その各種態様を含む）に備えられたコンピュータを制御するホログラム記録制御用のコンピュータプログラムであって、該コンピュータを、前記変調手段、前記判定手段、前記変更手段及び前記照射手段のうち少なくとも一部として機能させる。また、本発明の第２コンピュータプログラムは上記課題を解決するために、上述した本発明のホログラム再生装置（但し、その各種態様を含む）に備えられたコンピュータを制御するホログラム再生制御用のコンピュータプログラムであって、該コンピュータを、前記読取手段、前記復調手段、前記取得手段及び前記抽出手段のうち少なくとも一部として機能させる。【００４８】
本発明の各コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明のホログラム記録装置又はホログラム再生装置を比較的簡単に実現できる。【００４９】
尚、上述した本発明のホログラム記録装置又はホログラム再生装置における各種態様に対応して、本発明の各コンピュータプログラムも各種態様を採ることが可能である。【００５０】
コンピュータ読取可能な媒体内の第１コンピュータプログラム製品は上記課題を解決するために、上述した本発明のホログラム記録装置（但し、その各種態様を含む）に備えられたコンピュータにより実行可能なプログラム命令を明白に具現化し、該コンピュータを、前記変調手段、前記判定手段、前記変更手段及び前記照射手段のうち少なくとも一部として機能させる。また、コンピュータ読取可能な媒体内の第２コンピュータプログラム製品は上記課題を解決するために、上述した本発明のホログラム再生装置（但し、その各種態様を含む）に備えられたコンピュータにより実行可能なプログラム命令を明白に具現化し、該コンピュータを、前記読取手段、前記復調手段、前記取得手段及び前記抽出手段のうち少なくとも一部として機能させる。【００５１】
本発明の各コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば当該コンピュータプログラム製品を、通信手段を介してコンピュータにダウンロードすれば、上述した本発明のホログラム記録装置又はホログラム再生装置を比較的容易に実施可能となる。更に具体的には、当該コンピュータプログラム製品は、上述した本発明のホログラム記録装置又はホログラム再生装置として機能させるコンピュータ読取可能なコード（或いはコンピュータ読取可能な命令）から構成されてよい。【００５２】
本発明のこのような作用及び他の利得は次に説明する実施例から明らかにされる。【００５３】
以上説明したように、本発明のホログラム記録装置又は方法によれば、変調手段、判定手段、変更手段及び照射手段、又は変調工程、判定工程、変更工程及び記録工程を備える。また、本発明のホログラム再生装置又は方法によれば、読取手段、復調手段、取得手段及び抽出手段、又は読取工程、復調工程、取得工程及び抽出工程を備える。従って、干渉縞として記録された変調パターンの誤検出を好適に防ぐことができる。
【図面の簡単な説明】
【００５４】
【図１】本実施例に係るホログラム記録再生装置の光学系の構成を概念的に示すブロック図である。
【図２】本実施例に係るホログラム記録再生装置の信号処理系の構成を概念的に示すブロック図である。
【図３】２次元デジタル変調方式の一例を示す模式図である。
【図４】図３に示す２次元デジタル変調方式により実際のユーザデータ等が２次元デジタル変調される例を概念的に示す模式図である。
【図５】図４に示す２次元変調画像パターンの問題点を指摘する模式図である。
【図６】本実施例に係るホログラム記録装置の記録動作（特に、パターンの変更に係る動作）の流れを概念的に示すフローチャートである。
【図７】設定された探索領域を示す模式図である。
【図８】判定テーブルの具体的構成を概略的に示すテーブル図である。
【図９】実際のユーザデータ等を２次元デジタル変調することで得られる２次元変調画像パターンに対する、パターンを変更すべきか否かを判定する動作の態様を概念的に示す模式図である。
【図１０】実際のユーザデータ等を２次元デジタル変調することで得られる２次元変調画像パターンに対する、パターンの変更動作の態様を概念的に示す模式図である。
【図１１】変調パターン変更回路の具体的な構成を概念的に示すブロック図である。
【図１２】本実施例に係るホログラム再生装置の再生動作の際のデータの流れを概念的に示す模式図である。
【図１３】変形例に係るホログラム記録再生装置におけるユーザデータ及び補助データの変調の態様を概念的に示す模式図である。
【符号の説明】
【００５５】
１  ホログラフィック記録媒体
１０  ピックアップ
１１  記録再生用レーザ
１２、１６  ビームスプリッタ
１３、１５  ミラー
１４  空間変調器
１７  ハーフミラー
１８  ２次元センサ
１９  対物レンズ
１００  記録系回路
１１１、１１２  エラー訂正符号生成・付加回路
１２１、１２２  ２次元変調回路
１３１  変調パターン変更回路
１３２  パターン変更回路
１３３  パターン変更判定回路
１４１  書込回路
２００  再生系回路
２１１  読出回路
２２１  パターン検出回路
２３１  ２次元復調回路
２４１、２４３  エラー訂正回路
２４２  補助データ抽出回路
【発明を実施するための最良の形態】
【００５６】
以下、本発明を実施するための最良の形態について実施例毎に順に図面に基づいて説明する。【００５７】
（１）  基本構成
初めに、図１及び図２を参照して、本実施例に係るホログラム記録再生装置の基本構成について説明する。ここに、図１は、本実施例に係るホログラム記録再生装置の、特にピックアップ内に配置される光学系の構成を概念的に示すブロック図であり、図２は、本実施例に係るホログラム記録再生装置の、特に信号処理系の構成を概念的に示すブロック図である。【００５８】
図１に示すように、ピックアップ１０は、ユーザデータ等の記録、再生のためのレーザ光を生成する記録再生用レーザ１１を備える。【００５９】
情報データの記録時においては、記録再生用レーザ１１から出射した光ビームＬｏは、ビームスプリッタ１２により信号光としての信号ビームＳＢと記録用参照光としての参照ビームＲＢとに分離される。信号ビームＳＢは空間変調器１４に入力される。空間変調器１４は、例えば液晶素子により構成することができ、格子状に配置された複数の画素を有する。【００６０】
空間変調器１４は、記録すべきユーザデータ等を２次元デジタル変調して得られる白画素と黒画素の２次元変調画像パターンを表示し、その２次元変調画像パターンにより信号ビームＳＢを空間変調する。尚、２次元デジタル変調の具体的な態様については後に詳述する（図３参照）。【００６１】
空間変調器１４により空間変調された信号ビームＳＢ及びミラー１３及び１５により光路が調整される参照ビームＲＢの夫々は、ビームスプリッタ１６により同一光軸上に合体された後、ハーフミラー１７を通過し、対物レンズ１９により集光されてホログラフィック記録媒体１に照射される。その結果、空間変調された信号ビームＳＢと参照ビームＲＢとがホログラフィック記録媒体１内で干渉縞を形成し、これがホログラフィック記録媒体１に記録される。【００６２】
一方、情報再生時においては、空間変調器１４は無変調状態（即ち、全光透過状態）に制御される。よって、記録再生用レーザ１１から出射された光ビームＬｏは空間変調器１４により空間変調されることなく、ハーフミラー１７、対物レンズ１９を通り、ホログラフィック記録媒体１に照射される。この光ビームが再生用参照光となる。ホログラフィック記録媒体１内では、再生用参照光とホログラフィック記録媒体１に記録された干渉縞により検出光が発生し、これが対物レンズ１９を通過し、ハーフミラー１７で反射されて２次元センサ１８に入射する。２次元センサ１８は例えばＣＣＤアレイやＣＭＯＳセンサなどとすることができ、入射光量に応じた電気信号を出力する。こうして、２次元センサ１８上には記録時に空間変調器１４により表示された白黒画素の２次元変調画像パターンが結像され、この２次元変調画像パターンを検出することにより記録されたユーザデータ等が得られる。【００６３】
続いて、図２を参照して、本実施例に係るホログラム記録再生装置の信号処理系の構成について説明する。【００６４】
図２に示すように、本実施例に係るホログラム記録再生装置は、記録系回路１００と再生系回路２００とを備えている。記録系回路１００は、エラー訂正符号生成・付加回路１１１及び１１２と、２次元変調回路１２１及び１２２と、変調パターン変更回路１３１と、書込回路１４１とを備えている。また、再生系回路２００は、読出回路２１１と、パターン検出回路２２１と、２次元復調回路２３１と、エラー訂正回路２４１及び２４３と、補助データ抽出回路２４２とを備えている。【００６５】
エラー訂正符号生成・付加回路１１１及び１１２は夫々、ユーザデータ及び補助データに対して、エラー訂正用のエラー訂正符号を生成し且つ付加する。エラー訂正符号として、例えばパリティ検査符号や、ＥＣＣ（Error Correction Code）等が一具体例として挙げられる。特に、エラー訂正符号生成・付加回路１１１が、ユーザデータに対するエラー訂正符号を生成し、且つ該生成されたエラー訂正符号をユーザデータに付加する。また、エラー訂正符号生成・付加回路１１２が、補助データに対するエラー訂正符号を生成し、且つ該生成されたエラー訂正符号を補助データに付加する。【００６６】
尚、ユーザデータは、例えば映像データや音声データやＰＣ用データ等を含んでいる。また、補助データは、該ユーザデータの記録や再生を制御するためのデータであって、例えばユーザデータの著作権等を保護するためのデータであったり、記録動作や再生動作を管理・制御するための管理データや制御データである。【００６７】
２次元変調回路１２１及び１２２は、ユーザデータ及び補助データに対して２次元デジタル変調を施し、２次元変調画像パターンを生成する。即ち、上述した空間変調器１４は、２次元変調回路１２１及び１２２により生成された２次元変調画像パターンを表示するように動作する。特に、２次元変調回路１２１は、ユーザデータに対して２次元デジタル変調を施すことで、ユーザデータの２次元変調画像パターンを生成する。また、２次元変調回路１２２は、補助データに対して２次元デジタル変調を施すことで、補助データの２次元変調画像パターンを生成する。【００６８】
変調パターン変更回路１３１は、２次元変調回路１２１において生成されたユーザデータの２次元変調画像パターンの一部を、２次元変調回路１２２において生成された補助データの２次元変調画像パターンを用いて変更する。変調パターン変更回路１３１の構成及び動作については、後に詳述する（図１１等参照）。【００６９】
書込回路１４１は、２次元変調画像パターンをホログラフィック記録媒体１へ実際に記録する。即ち、書込回路１４１の指示に基づき、記録再生用レーザ１１から光ビームＬｏが照射され、空間変調器１４に２次元変調画像パターンが表示され、その結果、ユーザデータ及び補助データが干渉縞としてホログラフィック記録媒体１に記録される。【００７０】
読出回路２１１は、ホログラフィック記録媒体１に干渉縞として記録されたユーザデータ及び補助データを読み出す。より具体的には、読出回路２１１の指示により、記録再生用レーザ１１から光ビームＬｏが照射され、空間変調器１４は無変調状態となり、その結果、再生用参照光とホログラフィック記録媒体１に記録された干渉縞により発生する検出光が２次元センサ１８に入射する。【００７１】
パターン検出回路２２１は、２次元センサ１８に入射した検出光を解析することで、記録時に空間変調器１４に表示された２次元変調画像パターン（特に、その白画素部分及び黒画素部分の位置等）を検出する。【００７２】
２次元復調回路２３１は、パターン検出回路２２１において検出された２次元変調画像パターンを２次元復調することで、復調データを生成する。【００７３】
エラー訂正回路２４１は、復調データにエラー訂正処理を施すことで、記録された情報データを生成する。その結果、記録された情報データの再生を行うことができる。【００７４】
補助データ抽出回路２４２は、２次元復調回路２３１において生成された復調データとエラー訂正回路２４１において生成された情報データとを比較することで、復調データ中に含まれる補助データを抽出する。補助データの抽出処理については、後に詳述する（図１２参照）。【００７５】
エラー訂正回路２４３は、補助データ抽出回路２４２において抽出された補助データにエラー訂正処理を施すことで、誤りのない補助データを生成する。その結果、記録された補助データの再生を行うことができる。【００７６】
（２）変調の態様
続いて、図３から図５を参照して、２次元デジタル変調の具体的な態様について説明する。ここに、図３は、２次元デジタル変調方式の一例を示す模式図であり、図４は、図３に示す２次元デジタル変調方式により実際のユーザデータ等が２次元デジタル変調される例を概念的に示す模式図であり、図５は、図４に示す２次元変調画像パターンの問題点を指摘する模式図である。【００７７】
図３に示すように、デジタルのユーザデータ等、即ちホログラフィック記録媒体１に記録すべきユーザデータ等の２ビットの組合せ「００」と「０１」と「１０」と「１１」との夫々を、３×３のマトリクス状に配置された白画素と黒画素の組み合わせにより表現する。この例は、２ビットのユーザデータ等を９画素の２次元変調データ（即ち、２次元変調画像パターン）に変換する。【００７８】
この変調方式により、例えば「・・・１１１１１１００１００００１００１１・・・（即ち、２ビットずつに区切ると、１１、１１、１１、００、１０、００、０１、００、１１、・・・）」にて示されるユーザデータ等を２次元デジタル変調して得られる２次元変調データが、図４に示されている。より具体的に説明すると、ユーザデータ等のデータ列を２ビットずつ区切った後、区切られた２ビットを９画素の２次元変調画像パターンに２次元デジタル変調し、その後、区切られた２ビットの元のデータ列内の順序（位置）に応じて、９画素の２次元変調画像パターンを、例えば左上から右下の方向に向かって順番に配列していく。これにより、ユーザデータ等に対応する２次元変調画像パターンが生成される。この白画素と黒画素により構成される２次元変調画像パターンが、空間変調器１４上に表示される。空間変調器１４に入射した信号ビームＳＢは、２次元変調画像パターンの白画素部分では透過し、黒画素部分では遮断されるため、空間変調器１４から２次元変調画像パターンにより光学的に空間変調された信号ビームＳＢが出射される。なお、上記の例は２次元デジタル変調の一例であり、本発明の適用は上記の変調方式に限定されるものではない。例えば２ビットのユーザデータを４ビットの２次元変調データに変換する、いわゆる２：４差分変調方式など、入力されるユーザデータ等を２次元変調画像パターンに変換し、空間変調器１４を駆動して光束を空間変調することができれば、いかなる２次元デジタル変調方式を用いてもよい。【００７９】
ここで、図４に示す２次元変調画像パターンについて、より詳細に考察すると、以下に示す問題点を有していることが判明する。具体的には、図５に示すように、２次元変調画像パターンのうち太枠で囲まれた部分は、１画素の黒画素が複数の白画素で囲まれていることが分かる。このような２次元変調パターンをパターン検出回路２２１が検出する際に、１画素の黒画素を囲んでいる複数の白画素の影響により、１画素の黒画素を誤って１画素の白画素であると検出してしまうおそれがある。このため、このままでは、本来記録したユーザデータ等とは異なるユーザデータとして再生されるおそれがある。再生品質の劣化にもつながりかねない。これは、ユーザデータ等の好適な記録及び再生という観点からは好ましくない。【００８０】
そこで、本実施例に係るホログラム記録再生装置は、この様な２次元変調画像パターンを記録することになった場合は、読み取りの際の誤検出を好適に防ぐための処理（具体的には、後に詳述する補助データの２次元変調画像パターンとの変更処理）を施した後に記録動作を行なう。以降、係る処理についてより詳細に説明していく。【００８１】
（３）記録動作
続いて、図６から図１１を参照して、本実施例に係るホログラム記録再生装置の記録動作（特に、パターンの変更に係る動作）について説明する。ここでは、図６を用いて記録動作（特に、パターンの変更に係る動作）全体の流れを説明しながら、適宜図７から図１１を参照して、より詳細な説明を加える。ここに、図６は、本実施例に係るホログラム記録装置の記録動作（特に、パターンの変更に係る動作）の流れを概念的に示すフローチャートである。尚、本実施例においては、パターンの変更に係る動作を除いては、従来のホログラム記録再生装置と同様の態様でユーザデータ等がホログラフィック記録媒体１に記録される。【００８２】
図６に示すように、初めに２次元変調回路１２１及び１２２の動作により、ホログラフィック記録媒体１に記録すべきユーザデータ及び補助データが２次元変調される（ステップＳ１０１）。その結果、図４に示すような２次元変調画像パターンが生成される。【００８３】
続いて、変調パターン変更回路１３１の動作により、ステップＳ１０１において生成された２次元変調画像パターンのうち、補助データの２次元パターンに変更すべき画像パターンが含まれているか否かを探索するための探索領域の設定が行なわれる（ステップＳ１０２）。【００８４】
この探索領域について、図７を参照してより詳細に説明する。ここに、図７は、設定された探索領域を示す模式図である。【００８５】
図７（ａ）及び図７（ｂ）に示すように、探索領域は、例えば３×３のマトリクス状に配置された白画素と黒画素の組み合わせ（即ち、２ビットのユーザデータ等を２次元デジタル変調することで生成される２次元変調画像パターン）を縦方向（Ｘ方向）に２つ、横方向（Ｙ方向）に２つ並べた領域として設定される。即ち、図６のステップＳ１０１において生成されるＮ×Ｍの２次元変調画像パターンから、２ビットのユーザデータ等を２次元デジタル変調することで生成される２次元変調画像パターンを２×２のマトリクス状に４つ抽出することで、探索領域が設定される。言い換えれば探索領域の、左上、右上、左下及び右下の夫々に、２ビットのユーザデータ等を２次元デジタル変調することで生成される２次元変調画像パターンが配置されている。尚、２ビットのユーザデータ等が、本発明における「情報データ」の一具体例を構成している。【００８６】
再び図６において、変調パターン変更回路１３１の動作により、探索領域内の２次元変調画像パターンが解析される（ステップＳ１０３）。具体的には、例えば探索領域内の２次元変調画像パターンの白画素及び黒画素の配置ないしは該２次元変調画像パターンを構成するユーザデータ等の値の解析が行われる。【００８７】
その後、変調パターン変更回路１３１の動作により、探索領域内のパターンを変更する必要があるか否かが判定される（ステップＳ１０４）。言い換えれば、探索領域内に、１画素の黒画素が複数の白画素で囲まれているような部分が存在するか否かが判定される。探索領域内に、１画素の黒画素が複数の白画素で囲まれているような部分が存在していれば、探索領域内のパターンを変更する必要があると判定され、他方、探索領域内に、１画素の黒画素が複数の白画素で囲まれているような部分が存在していなければ、探索領域内のパターンを変更する必要はないと判定される。この判定は、具体的には、探索領域内のユーザデータ等の配置の態様と、その態様の際に２次元変調画像パターンを変更するべきか否かの対応関係を規定する判定テーブルに基づいて行われる。【００８８】
ここで、図８を参照して、判定テーブルの具体的な構成について説明する。ここに、図８は、判定テーブルの具体的構成を概略的に示すテーブル図である。【００８９】
図８に示すように、判定テーブルは、探索領域の左上、右上、左下及び右下の夫々に配置される２次元変調画像パターンが示す値と、そのような探索領域内のパターンを変更すべきか又は変更しなくともよいか（即ち、保持すべきか）を示す情報を含んでいる。この
判定テーブルは、探索領域の左上、右上、左下及び右下の夫々に配置される２次元変調画像パターンが示す値と、そのような探索領域内に１画素の黒画素が複数の白画素で囲まれているような部分が存在するか否かを示す情報を含んでいると言える。即ち、探索領域内に１画素の黒画素が複数の白画素で囲まれているような部分が存在していれば、探索領域内のパターンを変更すべき旨を示す情報が対応付けられえており、他方、探索領域内に１画素の黒画素が複数の白画素で囲まれているような部分が存在していなければ、探索領域内のパターンを保持すべき旨を示す情報が対応付けられている。【００９０】
例えば、図８に示す判定テーブルは、例えば、探索領域の左上にユーザデータ等“１１”を２次元デジタル変調することで得られる２次元変調画像パターンが配置され、探索領域の右上にユーザデータ等“００”を２次元デジタル変調することで得られる２次元変調画像パターンが配置され、探索領域の左下にユーザデータ等“０１”を２次元デジタル変調することで得られる２次元変調画像パターンが配置され、探索領域の右下にユーザデータ等“１０”を２次元デジタル変調することで得られる２次元変調画像パターンが配置された場合（即ち、図７（ａ）に示す態様で探索領域が設定された場合）は、その探索領域内のパターンは保持すべき（即ち、変更しなくともよい）ことを規定している。他方、例えば、探索領域の左上にユーザデータ等“１１”を２次元デジタル変調することで得られる２次元変調画像パターンが配置され、探索領域の右上にユーザデータ等“１１”を２次元デジタル変調することで得られる２次元変調画像パターンが配置され、探索領域の左下にユーザデータ等“００”を２次元デジタル変調することで得られる２次元変調画像パターンが配置され、探索領域の右下にユーザデータ等“１０”を２次元デジタル変調することで得られる２次元変調画像パターンが配置された場合（即ち、図７（ｂ）に示す態様で探索領域が設定された場合）は、その探索領域内のパターンは変更すべきことを規定している。変調パターン変更回路１３１は、このような判定テーブルに基づいて、図６のステップＳ１０２において設定された探索領域内のユーザデータ等の配置の態様から、パターンを変更すべきか否かを判定している。【００９１】
再び図６において、ステップＳ１０４における判定の結果、探索領域内のパターンを変更する必要がない（即ち、保持すべき）と判定された場合（ステップＳ１０４：Ｎｏ）、ステップＳ１０２へ戻り、新たな探索領域が設定され、ステップＳ１０３及びステップＳ１０４の動作が繰り返される。【００９２】
他方、ステップＳ１０４の判定の結果、探索領域内のパターンを変更する必要があると判定された場合（ステップＳ１０４：Ｙｅｓ）、続いて、探索領域内のパターン（具体的には、探索領域内の一部のパターン）を、補助データを２次元デジタル変調することで生成される２次元変調画像パターンに変更可能か否かが判定される（ステップＳ１０５）。具体的には、探索領域内のパターンを、補助データを２次元デジタル変調することで生成される２次元変調画像パターンに変更することで、探索領域内に、１画素の黒画素が複数の白画素で囲まれているような部分が存在しなくなれば、変更可能であると判定される。他方、探索領域内のパターンを、補助データを２次元デジタル変調することで生成される２次元変調画像パターンに変更しても、探索領域内に、１画素の黒画素が複数の白画素で囲まれているような部分が存在しているのであれば、変更可能でないと判定される。この場合も、図８に用いた判定テーブルが参照されることが好ましい。【００９３】
ステップＳ１０５の判定の結果、変更可能でないと判定された場合（ステップＳ１０５：Ｎｏ）、その探索領域内のパターンは変更されない。その後、ステップＳ１０２へ戻り、新たな探索領域が設定され、ステップＳ１０３及びステップＳ１０４の動作が繰り返される。【００９４】
他方、ステップＳ１０５の判定の結果、変更可能であると判定された場合（ステップＳ１０５：Ｙｅｓ）、続いて、変更回数は、エラー訂正符号生成・付加回路１１１の動作によりユーザデータに付加されるエラー訂正符号のエラー訂正能力の範囲内であるか否かが判定される（ステップＳ１０６）。即ち、パターンを変更したとしても、エラー訂正処理を施すことで、パターン変更前のユーザデータ等を取得することができる程度の変更回数であるか否かが判定される。言い換えれば、エラー訂正処理に係る基準ブロック単位の中で、パターンの変更回数の上限が定められており、該上限を超えたパターンの変更であるか否かが判定される。【００９５】
また、エラー訂正能力の範囲内に抑えるために、ステップＳ１０１において生成される２次元変調画像パターンのうちの、パターン変更可能な位置を制限するように構成してもよい。即ち、エラー訂正処理に係る基準ブロック単位の中では、エラー訂正処理の能力に応じて、パターンの変更回数の上限が定められているため、別の基準ブロック単位ではパターンを変更してもエラー訂正能力の範囲内にある可能性が高い。従って、エラー訂正処理に係る基準ブロック単位を考慮した上で、パターン変更可能な位置を制限するように構成してもよい。或いは、エラー訂正処理に係る基準ブロック単位を考慮した上で、パターン変更可能な位置に優先度をつけるように構成してもよい。【００９６】
ステップＳ１０６の判定の結果、エラー訂正能力の範囲内でないと判定された場合（ステップＳ１０６：Ｎｏ）、これ以上パターンを変更すれば、好適な再生動作に影響を及ぼしてしまうため、パターンの変更は行われない。その後は、エラー訂正処理に係る基準ブロック単位が切り替わるまでは（即ち、次の基準ブロック単位が現れるまでは）、パターンの変更はできない。従って、探索領域が次の基準ブロック単位において設定されるように、基準ブロック単位が次に切り替えられる（ステップＳ１１０）。その後は、ステップＳ１０２へ戻り、上述した動作が繰り返される。【００９７】
他方、ステップＳ１０６の判定の結果、エラー訂正能力の範囲内であると判定された場合（ステップＳ１０６：Ｙｅｓ）、探索領域内のパターンが変更される（ステップＳ１０７）。【００９８】
ここで、図９及び図１０を参照して、実際のユーザデータ等を２次元デジタル変調することで得られる２次元変調画像パターンに対する、パターンの変更動作について説明する。ここに、図９は、実際のユーザデータ等を２次元デジタル変調することで得られる２次元変調画像パターンに対する、パターンを変更すべきか否かを判定する動作の態様を概念的に示す模式図であり、図１０は、実際のユーザデータ等を２次元デジタル変調することで得られる２次元変調画像パターンに対する、パターンの変更動作の態様を概念的に示す模式図である。尚、図９及び図１０の夫々に示す２次元変調画像パターンは、図４に示す２次元変調画像パターン（即ち、「・・・１１１１１１００１００００１００１１・・・」にて示されるユーザデータ等を２次元デジタル変調して得られる２次元変調データ）と同一である。【００９９】
図９に示すように、例えば、左上にユーザデータ等“１１”を２次元デジタル変調することで得られる２次元変調画像パターンが配置され、右上にユーザデータ等“１１”を２次元デジタル変調することで得られる２次元変調画像パターンが配置され、左下にユーザデータ等“００”を２次元デジタル変調することで得られる２次元変調画像パターンが配置され、右下にユーザデータ等“１０”を２次元デジタル変調することで得られる２次元変調画像パターンが配置される探索領域Ａ（実線で示す探索領域）は、判定テーブルにより、変更すべきであると判定される。【０１００】
他方、例えば、左上にユーザデータ等“１１”を２次元デジタル変調することで得られる２次元変調画像パターンが配置され、右上にユーザデータ等“１１”を２次元デジタル変調することで得られる２次元変調画像パターンが配置され、左下にユーザデータ等“１０”を２次元デジタル変調することで得られる２次元変調画像パターンが配置され、右下にユーザデータ等“００”を２次元デジタル変調することで得られる２次元変調画像パターンが配置される探索領域Ｂ（一点鎖線で示す探索領域）は、判定テーブルにより保持すべきであると判定される。【０１０１】
また、例えば、左上にユーザデータ等“００”を２次元デジタル変調することで得られる２次元変調画像パターンが配置され、右上にユーザデータ等“１０”を２次元デジタル変調することで得られる２次元変調画像パターンが配置され、左下にユーザデータ等“０１”を２次元デジタル変調することで得られる２次元変調画像パターンが配置され、右下にユーザデータ等“００”を２次元デジタル変調することで得られる２次元変調画像パターンが配置される探索領域Ｃ（二点鎖線で示す探索領域）は、判定テーブルにより保持すべきであると判定される。【０１０２】
また、例えば、左上にユーザデータ等“１０”を２次元デジタル変調することで得られる２次元変調画像パターンが配置され、右上にユーザデータ等“００”を２次元デジタル変調することで得られる２次元変調画像パターンが配置され、左下にユーザデータ等“００”を２次元デジタル変調することで得られる２次元変調画像パターンが配置され、右下にユーザデータ等“１１”を２次元デジタル変調することで得られる２次元変調画像パターンが配置される探索領域Ｄ（点線で示す探索領域は、判定テーブルにより保持すべきであると判定される。【０１０３】
従って、このような２次元変調画像パターンにおいては、探索領域Ａ（特に、その一部）のパターンが変更される。具体的には、図１０に示すように、探索領域Ａのうち右上部分のパターンを、「０１」にて示される補助データを２次元デジタル変調することで生成される２次元変調画像パターンに変更する。より具体的には、変更後の探索領域Ａ内に１画素の黒画素が複数の白画素に囲まれている部分が存在しなくなるように、探索領域Ａのうち左上部分、右上部分、左下部分及び右下部分の少なくとも１つのパターンが、記録動作の時系列に従って入力される補助データの２次元変調画像パターンに変更される。【０１０４】
再び図６において、パターンの変更動作に続いて、全ての補助データを用いて、パターンの変更が行われたか否かが判定される（ステップＳ１０８）。より具体的には、補助データを２次元デジタル変調することで生成される２次元変調画像パターンであって且つ記録動作の時系列における現在に変調パターン変更回路１３１に入力される２次元変調パターンが、探索領域内のパターンを変更するために全て使用されてしまったか否かが判定される。【０１０５】
ステップＳ１０８の判定の結果、全ての補助データを用いて、パターンの変更が行われていないと判定された場合（ステップＳ１０８：Ｎｏ）、補助データを用いたパターンの変更がまだ可能であるため、ステップＳ１０２へ戻り、新たな探索領域が設定され、上述した動作が繰り返される。【０１０６】
他方、全ての補助データを用いて、パターンの変更が行われたと判定された場合（ステップＳ１０８：Ｙｅｓ）、補助データを用いたパターンの変更をこれ以上行なうことはできないため、動作が終了される。【０１０７】
ここで、図１１を参照して、上述したパターン変更の要否の判定や、パターンの変更を実際に行なっている変調パターン変更回路１３１の具体的な構成を説明する。ここに、図１１は、変調パターン変更回路１３１の具体的な構成を概念的に示すブロック図である。【０１０８】
図１１に示すように、変調パターン変更回路１３１は、パターン変更回路１３２と、パターン変更判定回路１３３とを備えている。パターン変更回路１３２及びパターン変更判定回路１３３の夫々には、ユーザデータ及び補助データの夫々を２次元デジタル変調することで生成される２次元変調画像パターンが入力される
パターン変更判定回路１３３においては、上述したパターンを変更するか否かの判定が行なわれる。即ち、判定テーブルを参照しながら、ユーザデータを２次元デジタル変調することで生成される２次元変調画像パターン中に、パターンを変更するべき箇所があるか否かが判定される。その後、パターン変更判定回路１３３からパターン変更回路１３２へ、パターンを変更すべきか否かを示すパターン変更判定情報が出力される。【０１０９】
パターン変更回路１３２は、パターン変更判定回路１３３から出力されるパターン変更判定情報を参照することで、パターンを実際に変更したり或いは保持したりする。パターンを変更した場合には、その旨を示すパターン変更情報をパターン変更判定回路１３３へ出力する。パターン変更判定回路１３３では、判定テーブルを参照しながら、パターンを変更した後の２次元変調画像パターン中に、更にパターンを変更するべき箇所があるか否かが判定される。【０１１０】
以上説明したように、本実施例に係るホログラム記録再生装置によれば、例えば１画素の黒画素が複数の白画素に囲まれているようなパターンを、２次元変調画像パターンから除去しつつ、ユーザデータを干渉縞としてホログラフィック記録媒体１に記録することができる。従って、再生時に２次元変調画像パターンの黒画素を白画素と誤検出してしまう不都合を好適に回避することができる。つまり、再生時における２次元変調画像パターンの誤検出を好適に回避することができ、その結果、再生品質の向上を図ることができる。【０１１１】
また、パターンの変更は、ユーザデータのエラー訂正能力を超えない範囲で行われる。このため、再生時には、エラー訂正処理を施すことで、パターンが変更された部分を訂正し、元のユーザデータ（即ち、記録時に本来記録しようと意図していたユーザデータ）を好適に取得することができる。即ち、パターンの変更を行ったとしても、それがエラー訂正能力を超えない範囲であれば、再生に悪影響を与えることはないため、好適な再生動作を実現することができる。【０１１２】
尚、上述の動作において、探索領域内のパターンを変更することができないと判定された場合であっても、例えば補助データを２次元デジタル変調することで生成される２次元変調画像パターンであって且つ記録動作の時系列における未来ないしは過去に変調パターン変更回路１３１に入力される２次元変調画像パターンを用いて変更するように構成してもよい。【０１１３】
或いは、補助データに代えて任意の２次元デジタル変調画像パターンを用いて、探索領域内のパターンを変更するように構成してもよい。これにより、探索領域内のパターンを変更することができないという状態の発現を減少させ或いはなくすことができる。【０１１４】
また、補助データを２次元デジタル変調することで生成される２次元変調画像パターンを用いて、探索領域内のパターンを変更すれば、後の再生動作の説明の際に詳述するように、ユーザデータに加えて補助データを重ねて記録したのと同様の効果を享受することができる。【０１１５】
（４）再生動作
続いて、図１２を参照して、本実施例に係るホログラム再生装置の再生動作について説明する。ここに、図１２は、本実施例に係るホログラム再生装置の再生動作の際のデータの流れを概念的に示す模式図である。【０１１６】
図１２の左側下部に示すように、「・・・、１１、１１、１１、００、１０、００、０１、００、１１、・・・」というユーザデータを記録する場合には、１画素の黒画素が複数の白画素に囲まれる部分が２次元変調画像パターンの中に現れる。従って、この場合、上述した記録動作により、図１２の右側下部に示すように、「・・・、１１、１１、１１、００、１０、００、０１、００、１１、・・・」というユーザデータを２次元デジタル変調することで生成される２次元変調画像パターンの一部が、「００」にて示される補助データ及び「０１」にて示される補助データの夫々を２次元デジタル変調することで生成される２次元変調画像パターンに変更される。そして、パターン変更された２次元変調パターンが空間変調器１４に表示されることで、ユーザデータ等が干渉縞としてホログラフィック記録媒体１に記録される。【０１１７】
係る態様で記録されたユーザデータ等を再生すると、図１２の右側下部に示す２次元変調画像パターンが２次元センサ１８により検出される。この２次元変調画像パターンが２次元復調回路２３１の動作により復調されると、「・・・、１１、００、１１、０１、１０、００、０１、００、１１、・・・」という復調データが生成される。【０１１８】
この復調データに対してエラー訂正回路２４１の動作によりエラー訂正処理が施されると、本来記録することを意図していたユーザデータ「・・・、１１、１１、１１、００、１０、００、０１、００、１１、・・・」が生成される。これにより、記録時にパターンを変更する処理を施していたとしても、元のユーザデータを好適に取得することができる。その結果、ユーザデータを好適に再生することができる。【０１１９】
他方で、エラー訂正処理が施された後のユーザデータと、エラー訂正処理が施される前の復調データとでは、その一部のデータ部分が異なっている。この異なっているデータ部分は、記録時のパターンの変更が施された部分を示している。即ち、復調データのうちユーザデータと異なっているデータ部分が補助データに相当する。従って、補助データ抽出回路２４２は、２次元復調回路２３１から出力される復調データと、エラー訂正回路２４１から出力されるユーザデータとを比較し、異なっているデータ部分を補助データとして抽出する。図１２に示す例では、「００、０１」が補助データとして抽出される。【０１２０】
このように、本実施例に係るホログラム記録再生装置によれば、ユーザデータ及び補助データを好適に取得し、再生することができる。特に、上述したように、例えば１画素の黒画素が複数の白画素に囲まれているようなパターンが除去されるため、２次元変調画像パターンの黒画素を白画素と誤検出してしまう不都合を好適に回避することができる。従って、２次元変調画像パターンの誤検出を好適に回避することができ、その結果、再生品質の向上を図ることができる。【０１２１】
また、本実施例では、ユーザデータを２次元デジタル変調することで生成される２次元変調画像パターンの一部のパターン部分を、補助データを２次元デジタル変調することで生成される２次元変調画像パターンに変更している。このため、２次元変調パターンの１つの単位（即ち、３×３のマトリクス状の画素単位）に、ユーザデータ及び補助データの双方を記録したことと同等の状態を実現することができる。【０１２２】
（５）変形例
続いて、図１３を参照して、本実施例に係るホログラム記録再生装置の変形例について説明する。ここに、図１３は、変形例に係るホログラム記録再生装置におけるユーザデータ及び補助データの変調の態様を概念的に示す模式図である。【０１２３】
図１３に示すように、変形例に係るホログラム記録再生装置では、ユーザデータの変調規則と補助データの変調規則とが異なる。例えば、「００」にて示されるユーザデータを２次元デジタル変調することで生成される２次元変調画像パターンと、「００」にて示される補助データを２次元デジタル変調することで生成される２次元変調画像パターンとが異なるように、ユーザデータの変調規則及び補助データの変調の規則の夫々が定められている。「０１」、「１０」及び「１１」にて示されるユーザデータ及び補助データの夫々についても同様である。【０１２４】
このようにユーザデータの変調規則と補助データの変調の規則とが異なっていれば、再生時に、２次元変調画像パターンのうちパターン変更が行われた部分を比較的容易に特定することができる。【０１２５】
また、パターン変更が行われた部分の位置自体に何らかの情報を含ませることもできる。例えば、Ｎ×Ｍのマトリクス状の２次元変調画像パターンのうち、上から３番目であり且つ左から５番目の部分のパターンを変更した場合には、例えば３×５＝１５という情報を含ませることができる。【０１２６】
本発明は、上述した実施例に限られるものではなく、請求の範囲及び明細書全体から読み取れる発明の要旨或いは思想に反しない範囲で適宜変更可能であり、そのような変更を伴なうホログラム記録装置及び方法、ホログラム再生装置及び方法、並びにコンピュータプログラムもまた本発明の技術的範囲に含まれるものである。
【産業上の利用可能性】
【０１２７】
本発明に係るホログラム記録装置及び方法、ホログラム再生装置及び方法、並びにコンピュータプログラムは、例えば、ホログラフィック記録媒体に対して情報の記録を行うホログラム記録装置に利用可能であり、更にホログラフィック記録媒体に対して情報の再生を行うホログラム再生装置に利用可能である。また、例えば民生用或いは業務用の各種コンピュータ機器に搭載される又は各種コンピュータ機器に接続可能なホログラム記録装置及びホログラム再生装置にも利用可能である。
【図１】
0004662081.tif 000002
【図２】
0004662081.tif 000003
【図３】
0004662081.tif 000004
【図４】
0004662081.tif 000005
【図５】
0004662081.tif 000006
【図６】
0004662081.tif 000007
【図７】
0004662081.tif 000008
【図８】
0004662081.tif 000009
【図９】
0004662081.tif 000010
【図１０】
0004662081.tif 000011
【図１１】
0004662081.tif 000012
【図１２】
0004662081.tif 000013
【図１３】
0004662081.tif 000014